Podtech/llm-jp-corpus-v4-ja_patent huggingface dataset:
(57)【特許請求の範囲】
【請求項１】
「そり面体」を回転体の上面に円周方向に等間隔に設け、これを上から見れば、ほぼ三角形構造をしており、「そり面体」の上面は回転体の回転方向の後方にかけて、さらに内側にかけて、回転体の全体を構成する上面から徐々に高くなる構造を具備したことを特徴とする草刈り刃。
【発明の詳細な説明】
【技術分野】
【０００１】本発明は草刈りの刈り刃と、それを構成する回転体において、刈り草を浮き上がらせて外側に移動することで、刈り刃の移動の力を軽くして、さらに刈り刃の中心の周囲につるや草が巻き付くことを防止する刈り刃に関する。
【背景技術】
【０００２】草刈り機の回転体の根元への巻きつき防止は、草を切断して防止する方式のものが主である。回転体の上面に切り刃を別に設けて回転体の根元に来る草を切断する形式となっている。また、別売の外周に切り刃の付いた小さな回転体を上側に回転中心を合わせて装着している。他の例として回転体を支える柄の支柱の部分に別に切り刃をボルトなどで装着している。
【先行技術文献】
【特許文献】
【０００３】
【特許文献１】特許第４１３７７５８号  特許公報
【非特許文献】
【０００４】
【非特許文献１】特開２０１３−８１４４４  公開特許公報
【発明の概要】
【発明が解決しようとする課題】
【０００５】従来の発明では回転体の根元への巻きつきをある程度は防止できるが、次のような負の要素を生んでいる。１−巻きつき防止用の刃で少なくとも２度目の切断をしているので、抵抗力が増加することになる。２−切った草を後方の刃で切断することが多く、抵抗が増すことになる。３−刈った草が回転体の上部に留まることで、刃の移動が重くなる。４−巻き付き防止の能力が十分ではない。５−このような工作にはコストが多くかかり、作業中において上部の切り刃による危険性も増加する。
【課題を解決するための手段】
【０００６】図１は外周の溝の奥側にシンニング（すり鉢状のへこみ面）を作り、さらに回転体の上面に反り面体を設置した例である。この反り面体は上から見れば三角形構造をしており、回転方向の上面からの図で内側の面ほど、しかも回転の後側の面ほど回転面から高くなっている。刈り刃で切断された草はシンニングの傾斜面とこの部分でわずかに持ち上げられて、外側が低くなっているので外側に排出されるように移動する。持ち上げられると、次の刃が１度切られた草に当たることが少なくなり、回転体の動きが軽くなり、操作性が増してくる。巻き付きの低減、操作性の向上など身体的な負荷も軽減され、作業能率は良くなる。図２は８枚刃の刃を上向きにして、刃の逃げ面で一度刈り草を持ち上げるようにし、さらに溝の部分にすり鉢状のシンニングを施して、刈り草を持ち上げ抵抗を減らしている。（図１、図２で示す回転体は孔があると孔の面積によるが、下面から上面への空気の流動が起こり、円周方向に流れる空気流が強くなる効果も出やすい。）
こうすることで、刈る動作の抵抗を軽減する効果が大きく出る。さらに内側には示すように草の排出用の反り面体を設ければ巻き付き防止のさらなる効果が発揮される。【０００７】刈られた草の運動は瞬時に浮くことで刈り刃への抵抗を減らすと同時に回転中心へ刈り草が集まらない方向に動く。【０００８】さらに外周の溝の底の部分は刈り草の逃げの要素を加味した工夫がなかった。刈られた草の茎などはこの溝に直に当たり抵抗となっていた。この部分にドリルの刃先に見られるすり鉢状に似たシンニングの逃げ面を上方に作ることで、草の上方への移動をしやすくして、もって巻き付きと回転体の移動を軽くする効果を加味した。
【発明の効果】
【０００９】刈られた草が外周の溝のシンニング部分で持ち上げられ、刃の移動を軽くする。さらに、内側の反り面体の上でも草が持ち上げられて刃の移動を軽くして、外側に排出するように作用する。そこでも排出ができなかった草で、内側に入ってくる草を回転中心の近くの反り面体で外側に排出することで、巻き付きの防止をする。
刈られた草が浮き上がることで、重複の刈りが少なくなり、刃の移動の抵抗が少なくなるので、労力の軽減につながり、作業能率がよくなる。草の移動が外周方向となって、回転中心付近に草が集まらなくなり、巻き付きの防止と顔の付近に破片が飛んでくることも少なくなる。上面に草が留まることよりは上に浮かせることの方が労力は少なくなり、機械のエンジンへの負荷も少なくなる。さらに、巻き付きが減って総合的に作業能率の大幅な向上が計られる。
【図面の簡単な説明】
【００１０】
【図１】本発明においてチップソーに適用した図である。
【図２】本発明において８枚刃の刈り刃に適用した図である。
【発明を実施するための形態】
【００１１】１、切った草を浮かして次の切り刃を通りやすくする。２、２度刈りを少なくする。３、刈り草を外側に排出して巻き付きを防ぐ。
刈り刃については高速回転であることから、これら３項目を実現するためには加工が簡単で装備がシンプルでバランスが良いことがあげられる。図１はチップソーに適用したものである。図２は８枚刃の刈り刃に適用したものである。
【実施例】
【００１２】図１、図２にはシンニング（８）の部分が示されている。これのみでも効果は期待できるが、巻き付き防止能力をさらに向上するには内側に反り面体を付ける必要がある。これらのものは実際に作って、使ってみれば優れた動作を示す。すなわち刈る動作の抵抗が少なくなる。刈られた草が上面の上に浮くようになり、８枚刃では刃面の逃げ面の傾斜とシンニングの上面で外側への草の排出が起こりやすくなる。さらに内側の反り面体で外周方向への草の飛散が多くなって巻き付く確率の少なさなどが実感できる。休耕田などの数年刈られていない草には特に威力を発揮する。
【産業上の利用可能性】
【００１３】田舎においては休耕田畑・道路則面・空き地の手入れなど体で支える草刈り機の使用が多い。草刈りはかなりの重労働で長時間はしないように定められている。草刈りの左右に刈る動作は抵抗が多ければそれだけ疲労が多く、能率は悪くなる。この抵抗を少なくして能率を向上する。同時に中心付近への草の巻き付きを減らし、さらに顔付近への草の飛散を少なくするなどで、草刈りの労力の低減を計る。
【符号の説明】
【００１４】  １  装着用の孔、２  止め具との適正間隔、３  刈り草の持ち上げと外周への排出用の反り面体、４  刈り草の外周への排出用の反り面体（主に巻き付き防止用）、５  回転体の止め具の想像の外周線、６  チップソーのチップ  ７、外周の溝との距離（５〜１３ｍｍがよい）、８  シンニング部、９  他の反り面体の形状案（参考）、１０  ８枚刃の刃（上向き）、１１  回転体
【図１】
0006620278.tif 000002
【図２】
0006620278.tif 000003
(57)【特許請求の範囲】
【請求項１】
液体容器のネジ口に螺合する雌ネジを有する筒体を形成する一方、複数の孔を有し、且つ該筒体の開口部を開閉手段により開閉自在に覆う覆い体が前記筒体に接続され、更に前記筒体には、該筒体の外部と液体容器の内部とを連通する通路が形成され、且つ該通路の前記液体容器の内部に臨む開口部に、長手方向に長い空気取り入れ通路が連通されていることを特徴とする如雨露キャップ。
【請求項２】
筒体の内壁が外方に向かって広がるように傾斜した傾斜壁に形成されていることを特徴とする請求項１に記載の如雨露キャップ。
【発明の詳細な説明】
【技術分野】
【０００１】
本発明は、如雨露キャップに係り、特に、液体容器内への水の供給が容易な如雨露キャップに関する。
【背景技術】
【０００２】
従来、例えば、ペットボトル等の液体容器に如雨露キャップを装着して如雨露として利用している（特許文献１参照）が、液体容器を逆さにして使用するため、液体容器内の水が減ると、液体容器の底部側に空間が生じ、前記空間と外気とが連通しないため、如雨露キャップからの散水がうまくゆかず、液体容器を押圧しなければならず、作業に支障をきたしていた。これを改善するものとして、液体容器の底部近傍に空気を取り入れるための空気取り入れ手段を設けた如雨露口がある（特許文献２参照）。
【先行技術文献】
【特許文献】
【０００３】
【特許文献１】実用新案登録第３０２２８８６号公報
【特許文献２】実用新案登録第３０３３８２７号公報
【発明の概要】
【発明が解決しようとする課題】
【０００４】
しかしながら、上述の特許文献２記載のものにあっては、如雨露口を液体容器から取り外さなければ、液体容器内への水の供給ができないという問題点が生じた。
【０００５】
本発明は、前記問題点を考慮してなされたもので、液体容器内への水の供給が容易な如雨露キャップを提供することを目的とする。
【課題を解決するための手段】
【０００６】
請求項１記載の如雨露キャップは、液体容器のネジ口に螺合する雌ネジを有する筒体を形成する一方、複数の孔を有し、且つ該筒体の開口部を開閉手段により開閉自在に覆う覆い体が前記筒体に接続され、更に前記筒体には、該筒体の外部と液体容器の内部とを連通する通路が形成され、且つ該通路の前記液体容器の内部に臨む開口部に、長手方向に長い空気取り入れ通路が連通されて形成されている。
【０００７】
また、請求項２記載の如雨露キャップは、請求項１に記載の如雨露キャップにおいて、筒体の内壁が外方に向かって広がるように傾斜した傾斜壁に形成されているものである。
【発明の効果】
【０００８】
請求項１記載の如雨露キャップによれば、液体容器の底部近傍に空気を導入することができる如雨露キャップにあって、覆い体は、筒体の開口部を開閉手段により開閉自在に覆うため、覆い体により筒体の開口部を開ければ、つまり、液体容器に如雨露キャップをつけたまま、液体容器に水を供給することができる。更に、筒体の外部と液体容器の内部とが空気取り入れ通路で連通されているため、散水時に液体容器内の水が減っても、散水に支障はない。
【０００９】
また、請求項２記載の如雨露キャップによれば、上述した請求項１の発明の効果に加え、筒体の内壁が外方に向かって広がるように傾斜した傾斜壁に形成されているため、水の供給口を広く取れ、液体容器内への水の供給を容易に行うことができる。
【図面の簡単な説明】
【００１０】
【図１】図１は、本発明の一実施例の如雨露キャップを液体容器に装着した状態の概略斜視図である。
【図２】図２は、図１の如雨露キャップを液体容器に装着した状態の概略正面図である。
【図３】図３は、図２のＡ−Ａ線による概略断面図である。
【図４】図４は、図１の如雨露キャップの使用状態の概略図である。
【実施例】
【００１１】
本発明の一実施例の如雨露キャップを図面（図１乃至図４）を参照して説明する。図１に示すＣは如雨露キャップで、如雨露キャップＣは、液体容器（例えば、ペットボトル）１のネジ口に螺合する雌ネジ２ａを有する筒体２を形成する一方、複数の孔３ａを有し、且つ該筒体２の開口部２ｂを、例えば図１に示すような、ヒンジを備えた開閉手段Ｋにより開放・閉止する覆い体３が前記筒体２に接続され、更に前記筒体２には、該筒体２の外部と液体容器１の内部とを連通する通路４が形成され、且つ該通路４の液体容器１の内部に臨む開口部４ａには、長手方向に長い空気取り入れ通路（例えば、チューブ）５が連通されている。そして、前記筒体２はその内壁が外方に向かって広がるように傾斜した傾斜壁２Ａに形成され、これにより水の供給口を広く取れ、且つ液体容器１内への水の供給を容易に行うことができるようになっている。
【００１２】
上述した如雨露キャップＣによれば、図４に示すように、液体容器１を逆さにして使用し、液体容器１内の水が減ると、液体容器１の底部側に空間６が生じ、空間６と外気とが空気取り入れ通路５を介して連通するので、如雨露キャップＣからの散水に支障を生じない。また、液体容器１内の水がなくなった場合、液体容器１の底部近傍に空気を導入することができるので、覆い体３は、開閉手段Ｋの開放・閉止操作により開閉自在に形成されているため、覆い体３により筒体２の開口部２ｂを開ければ、つまり、液体容器１に如雨露キャップＣをつけたまま、液体容器１に水を供給することができるようになっている。
【符号の説明】
【００１３】
Ｃ    如雨露キャップ
Ｋ    開閉手段
１      液体容器
２      筒体
２ａ    雌ネジ
２ｂ  開口部
３      覆い体
３ａ    孔
４      通路
４ａ    開口部
５      空気取り入れ通路
【図１】
0006495613.tif 000002
【図２】
0006495613.tif 000003
【図３】
0006495613.tif 000004
【図４】
0006495613.tif 000005